(57)【特許請求の範囲】
【請求項１】
画像信号が入力される複数の画像入力端子と、
前記複数の画像入力端子の中からいずれか１つを選択する画像入力選択部と、
前記画像入力選択部により選択されている前記画像入力端子に入力される画像信号に応じた画像を投写する投写部と、
前記投写部からの投写光を遮断するシャッターと、
前記シャッターが開位置または閉位置のいずれにあるかを検出する位置検出部と、
前記画像入力端子に画像信号が入力されているか否かを検出する信号検出部と、を備え、
前記位置検出部の検出結果に基づいて前記シャッターが前記開位置から前記閉位置に移動したことが検出され、前記信号検出部により、選択されている前記画像入力端子とは異なる他の前記画像入力端子に画像信号が入力されていることが検出された場合に、前記画像入力選択部は、選択していた前記画像入力端子に代えて他の前記画像入力端子を選択することを特徴とするプロジェクター。
【請求項２】
画像信号が入力される複数の画像入力端子と、
前記複数の画像入力端子の中からいずれか１つを選択する画像入力選択部と、
前記画像入力選択部により選択されている前記画像入力端子に入力される画像信号に応じた画像を投写する投写部と、
前記投写部からの投写光を遮断するシャッターと、
前記シャッターが開位置または閉位置のいずれにあるかを検出する位置検出部と、
前記画像入力端子に画像信号が入力されているか否かを検出する信号検出部と、
前記画像入力端子の入力切替操作をするための入力操作部と、を備え、
前記位置検出部の検出結果に基づいて前記シャッターが前記開位置から前記閉位置に移動したことが検出され、前記信号検出部により選択されている前記画像入力端子とは異なる他の画像入力端子に画像信号が入力されていることが検出され、その後、前記位置検出部の検出結果に基づいて前記シャッターが前記閉位置から前記開位置に移動したことが検出された場合に、前記画像入力選択部は、前記入力操作部の入力切替操作に基づいて、選択されていた前記画像入力端子または画像信号が入力されている前記他の画像入力端子のいずれか１つを選択することを特徴とするプロジェクター。
【請求項３】
請求項１又は請求項２に記載のプロジェクターであって、
前記位置検出部の検出結果に基づいて前記シャッターが前記開位置から前記閉位置に移動したことが検出され、前記信号検出部により前記他の画像入力端子に画像信号が入力されていることが検出されたときに、前記他の画像入力端子に画像信号が入力されていることを報知する報知部をさらに備えたことを特徴とするプロジェクター。
【請求項４】
画像信号が入力される複数の画像入力端子と、
前記複数の画像入力端子の中からいずれか１つを選択する画像入力選択部と、
前記画像入力選択部により選択されている前記画像入力端子に入力される画像信号に応じた画像を投写する投写部と、
前記投写部からの投写光を遮断するシャッターと、
前記シャッターが開位置または閉位置のいずれにあるかを検出する位置検出部と、
複数の前記画像入力端子を選択するための入力選択順を記憶する記憶部と、を備え、
前記画像入力選択部は、前記位置検出部の検出結果に基づいて前記シャッターが前記開位置から前記閉位置に移動したことが検出されたとき、前記記憶部に記憶された入力選択順に従って前記複数の画像入力端子の中からいずれか１つを選択することを特徴とするプロジェクター。
【請求項５】
画像信号が入力される複数の画像入力端子と、
前記複数の画像入力端子の中からいずれか１つを選択する画像入力選択部と、
前記画像入力選択部により選択されている前記画像入力端子に入力される画像信号に応じた画像を投写する投写部と、
前記投写部からの投写光を遮断するシャッターと、
前記シャッターが、開位置、閉位置、前記開位置と前記閉位置の間の入力切替位置のいずれにあるかを検出する位置検出部と、
前記画像入力端子に画像信号が入力されているか否かを検出する信号検出部と、を備え、
前記位置検出部の検出結果に基づいて前記シャッターが前記開位置から前記入力切替位置に移動したことが検出され、前記信号検出部により、選択されている前記画像入力端子とは異なる他の前記画像入力端子に画像信号が入力されていることが検出された場合に、前記画像入力選択部は、選択していた前記画像入力端子に代えて他の前記画像入力端子を選択し、前記位置検出部の検出結果に基づいて前記シャッターが前記開位置から前記閉位置に移動したことが検出された場合に、前記画像入力選択部は、選択していた前記画像入力端子を保持することを特徴とするプロジェクター。
【請求項６】
画像信号が入力される複数の画像入力端子と、
前記複数の画像入力端子の中からいずれか１つを選択する画像入力選択部と、
前記画像入力選択部により選択されている前記画像入力端子に入力される画像信号に応じた画像を投写する投写部と、
前記投写部からの投写光を遮断するシャッターと、
前記シャッターが前記投写光を遮断可能な閉塞位置にあるかを検出する位置検出部と、
前記画像入力端子に画像信号が入力されているか否かを検出する信号検出部と、を備え、
前記位置検出部により、前記投写部による画像投写中に前記シャッターが前記閉塞位置にあることが検出され、前記信号検出部により、選択されている前記画像入力端子とは異なる他の前記画像入力端子に画像信号が入力されていることが検出された場合に、前記画像入力選択部は、選択していた前記画像入力端子に代えて他の前記画像入力端子を選択することを特徴とするプロジェクター。
【請求項７】
画像信号が入力される複数の画像入力端子と、前記画像信号に応じた画像を投写する投写部と、前記投写部からの投写光を遮断するシャッターと、を備えるプロジェクターによる画像投射方法であって、
前記画像入力端子に画像信号が入力されているか否かを検出する信号検出工程と、
前記複数の画像入力端子の中からいずれか１つを選択する画像入力選択工程と、
前記画像入力選択工程において選択された画像入力端子に入力される画像信号に応じた画像を前記投写部により投射する工程と、
前記シャッターが開位置または閉位置のいずれにあるかを検出する位置検出工程と、
を備え、
前記位置検出工程において、前記シャッターが前記開位置から前記閉位置に移動したことが検出され、前記信号検出工程において、選択されている前記画像入力端子とは異なる他の前記画像入力端子に画像信号が入力されていることが検出された場合に、前記画像入力選択工程においては、他の前記画像入力端子を選択することを特徴とする画像投射方法。
【請求項８】
画像信号が入力される複数の画像入力端子と、前記画像信号に応じた画像を投写する投写部と、前記投写部からの投写光を遮断するシャッターと、前記画像入力端子の入力切替操作をするための入力操作部と、を備えるプロジェクターによる画像投射方法であって、
前記画像入力端子に画像信号が入力されているか否かを検出する信号検出工程と、
前記複数の画像入力端子の中からいずれか１つを選択する画像入力選択工程と、
前記画像入力選択工程において選択された画像入力端子に入力される画像信号に応じた画像を前記投写部により投射する工程と、
前記シャッターが開位置または閉位置のいずれにあるかを検出する位置検出工程と、
を備え、
前記位置検出工程において前記シャッターが前記開位置から前記閉位置に移動したことが検出され、前記信号検出工程において選択されている前記画像入力端子とは異なる他の画像入力端子に画像信号が入力されていることが検出され、その後、前記位置検出工程において前記シャッターが前記閉位置から前記開位置に移動したことが検出された場合に、前記画像入力選択工程においては、前記入力操作部の入力切替操作に基づいて、選択されていた前記画像入力端子または画像信号が入力されている前記他の画像入力端子のいずれか１つを選択することを特徴とする画像投射方法。
【請求項９】
画像信号が入力される複数の画像入力端子と、前記画像信号に応じた画像を投写する投写部と、前記投写部からの投写光を遮断するシャッターと、複数の前記画像入力端子を選択するための入力選択順を記憶する記憶部と、を備えるプロジェクターによる画像投射方法であって、
前記複数の画像入力端子の中からいずれか１つを選択する画像入力選択工程と、
前記画像入力選択工程において選択された画像入力端子に入力される画像信号に応じた画像を前記投写部により投射する工程と、
前記シャッターが開位置または閉位置のいずれにあるかを検出する位置検出工程と、
を備え、
前記画像入力選択工程においては、前記位置検出工程において前記シャッターが前記開位置から前記閉位置に移動したことが検出されたとき、前記記憶部に記憶された入力選択順に従って前記複数の画像入力端子の中からいずれか１つを選択することを特徴とする画像投射方法。
【請求項１０】
画像信号が入力される複数の画像入力端子と、前記画像信号に応じた画像を投写する投写部と、前記投写部からの投写光を遮断するシャッターと、を備えるプロジェクターによる画像投射方法であって、
前記画像入力端子に画像信号が入力されているか否かを検出する信号検出工程と、
前記複数の画像入力端子の中からいずれか１つを選択する画像入力選択工程と、
前記画像入力選択工程において選択された画像入力端子に入力される画像信号に応じた画像を前記投写部により投射する工程と、
前記シャッターが、開位置、閉位置、前記開位置と前記閉位置の間の入力切替位置のいずれにあるかを検出する位置検出工程と、
を備え、
前記位置検出工程において、前記シャッターが前記開位置から前記入力切替位置に移動したことが検出され、前記信号検出工程において、選択されている前記画像入力端子とは異なる他の前記画像入力端子に画像信号が入力されていることが検出された場合に、前記画像入力選択工程においては、他の前記画像入力端子が選択され、前記位置検出工程において、前記シャッターが前記開位置から前記閉位置に移動したことが検出された場合に、前記画像入力選択工程においては、選択していた前記画像入力端子を保持することを特徴とする画像投射方法。
【請求項１１】
画像信号が入力される複数の画像入力端子と、前記画像信号に応じた画像を投写する投写部と、前記投写部からの投写光を遮断するシャッターと、を備えるプロジェクターによる画像投射方法であって、
前記画像入力端子に画像信号が入力されているか否かを検出する信号検出工程と、
前記複数の画像入力端子の中からいずれか１つを選択する画像入力選択工程と、
前記画像入力選択工程において選択された画像入力端子に入力される画像信号に応じた画像を前記投写部により投射する工程と、
前記シャッターが前記投写光を遮断可能な閉塞位置にあるかを検出する位置検出工程と、
を備え、
前記位置検出工程において、前記投写部による画像投写中に前記シャッターが前記閉塞位置にあることが検出され、前記信号検出工程において、選択されている前記画像入力端子とは異なる他の前記画像入力端子に画像信号が入力されていることが検出された場合に、前記画像入力選択工程においては、他の前記画像入力端子を選択することを特徴とする画像投射方法。
【発明の詳細な説明】
【技術分野】
【０００１】
本発明は、入力される画像データに応じた画像を投写するプロジェクター及び画像投射方法に関する。
【背景技術】
【０００２】
プロジェクターは、一般的に複数の入力端子を備えていることが多く、例えば特許文献１に記載されるようにユーザーがリモコン操作などで現在選択されている入力端子を他の入力端子に切り替えると、投写している画像がこの入力切替操作によって新たに選択された入力端子からの画像データに応じた画像に切り替わる。
【０００３】
また、プレゼンテーションの途中などで次の画像を準備するために画像の投写を一時的にミュート状態にする機能が使われている。ミュート状態においては黒画像を投写する方法のほか、特許文献２に記載されるようにプロジェクターの投写レンズ前面にスライド式のシャッターを配置し、遮光する方法が使われている。
【先行技術文献】
【特許文献】
【０００４】
【特許文献１】特開２００３−３２３１６８号公報
【特許文献２】特開２００７−２４０５５１号公報
【発明の概要】
【発明が解決しようとする課題】
【０００５】
しかしながら、従来のプロジェクターでは、画像の投写を一時的に停止するミュート状態にしても、何らかの操作が行われるとミュート状態が直ちに解除されて画像の投写が再開されてしまうので、ミュート状態のままではリモコン操作などを行うことができなかった。したがって、プレゼンテーションなどの途中で入力端子の切替操作等を行う際に、操作中の画面を視聴者に見られてしまうことがあった。
【０００６】
また、従来のプロジェクターではシャッターを閉じた遮光状態では投写されないため、一度シャッターを開け投写状態にしてからでないと入力端子の切替操作が行えないという問題があった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、画像信号が入力される複数の画像入力端子と、前記入力される画像信号に応じた画像を投写する投写部と、前記投写部からの投写光を遮断するシャッターと、前記複数の画像入力端子の中からいずれか１つを選択する画像入力選択部と、前記シャッターが開位置または閉位置のいずれであるかを検出する位置検出部と、前記複数の画像入力端子のいずれかに画像信号が入力されているか否かを検出する信号検出部とを備え、前記画像入力選択部は、前記シャッターの開閉による位置検出部の検出結果に基づいて、前記信号検出部により、選択されている前記画像入力端子の他の前記画像入力端子に画像信号が入力されている場合、前記他の画像入力端子のうちのいずれか１つを選択することを特徴とする。
【０００９】
本適用例によれば、プレゼンテーションの途中でシャッターを閉じて遮光状態にしたときに次の入力端子への切替動作が行われるため、再度シャッターを開けたときに次の入力端子の画像が投写される状態となる。つまり、投写光を遮光するためのシャッターの開閉操作に連動して入力端子の切替動作が行われることになる。これにより、投写する入力端子の切り替えを迅速に行うことができるとともに操作中の画面を視聴者に見られることなく、スムーズにプレゼンテーションの切り替えが可能となる。
【００１０】
［適用例２］上記適用例に記載のプロジェクターにおいて、前記画像入力端子の入力切替（入力選択）操作をする入力操作部をさらに備え、前記画像入力選択部は、前記位置検出部の検出結果に基づいて前記シャッターが開位置から閉位置に移動したとき、前記信号検出部により前記他の画像入力端子のいずれかに画像信号が入力されている場合、前記シャッターが閉位置から開位置に移動したとき、前記入力操作部の入力切替操作に基づいて選択されている前記画像入力端子または画像信号が入力されている前記他の画像入力端子のいずれかを選択することを特徴とする。
【００１１】
本適用例によれば、シャッターを閉じて遮光状態にしたときに他の画像入力端子に画像信号が入力されていることを検出した場合、再度シャッターを開いて投写状態にしたときに現在選択されている画像入力端子または画像信号が入力されている他の画像入力端子への切り替えを選択できるため、プレゼンテーションの切り替えなどで、信号が入力されている、目的の入力端子を容易に選択し、入力切替操作を行うことが可能となる。
【００１２】
［適用例３］上記適用例に記載のプロジェクターにおいて、前記シャッターが開位置から閉位置に移動したとき、前記信号検出部により、前記他の画像入力端子のいずれかに画像信号が入力されたことを検出したときに報知する報知部をさらに備えたことを特徴とする。
【００１３】
本適用例によれば、シャッターを閉じた遮光状態において他の画像入力端子に画像信号が入力されたことがわかる。これにより、プレゼンテーションの切替時にまだ画像信号が入力されていない状態でシャッターを開き、投写してしまうことを防ぐことが可能となる。
【００１４】
［適用例４］上記適用例に記載のプロジェクターにおいて、前記複数の画像入力端子を選択する入力選択順を記憶する記憶部をさらに備え、前記画像入力選択部は、前記位置検出部の検出結果に基づいて前記シャッターが開位置から閉位置に移動したとき、前記記憶部に記憶された入力選択順に従って前記複数の画像入力端子の中からいずれか１つを選択することを特徴とする。
【００１５】
本適用例によれば、シャッターの開閉動作に連動した画像入力端子の入力選択順が記憶されているため、シャッターの開閉動作のみで遮光動作および、画像入力端子の入力切替操作が行える。これにより、簡単な操作で遮光状態を挟んだ入力切替操作が可能となる。さらに、本体操作パネルから入力切替キーを省略することが可能となる。
【００１６】
［適用例５］上記適用例１に記載のプロジェクターにおいて、前記位置検出部は前記シャッターが開位置または閉位置にあることを検出する第１位置検出部と、前記シャッターが開位置と閉位置の間の入力切替位置であることを検出する第２位置検出部とを有し、前記画像入力選択部は、前記第１位置検出部および前記第２位置検出部の検出結果に基づいて前記シャッターが開位置から入力切替位置に移動した後、閉位置に移動せずに開位置に移動したとき、前記信号検出部により、前記他の画像入力端子のいずれかに画像信号が入力されている場合、前記他の画像入力端子のうちのいずれか１つを選択することを特徴とする。
【００１７】
本適用例によれば、シャッターの移動操作の違いにより、選択された画像入力端子を保持したまま投写光を遮光する操作と、シャッターの開閉に連動して画像入力端子を切り替える操作を選択できるので、ユーザーの使用目的に応じたシャッターによる遮光操作を行うことが可能となる。
【００１８】
［適用例６］上記適用例に記載のプロジェクターによる画像投射方法は、画像信号が入力される複数の画像入力端子と、入力される画像信号に応じた画像を投写する投写部と、投写部からの投写光を遮断するシャッターと、複数の画像入力端子の中からいずれか１つを選択する画像入力選択工程と、シャッターが開位置または閉位置のいずれであるかを検出する位置検出工程と、複数の画像入力端子のいずれかに画像信号が入力されているか否かを検出する信号検出工程とを備えるプロジェクターによる画像投射方法であって、
シャッターの開閉による位置検出工程の検出結果に基づいて、信号検出工程により、選択されている画像入力端子の他の画像入力端子に画像信号が入力されている場合、他の画像入力端子のうちのいずれか１つを選択する画像入力選択工程を備えることを特徴とする。
【００１９】
本適用例の画像投射方法によれば、プレゼンテーションの途中でシャッターを閉じて遮光状態にしたときに次の入力端子への切替動作が行われる画像入力選択工程を有するため、再度シャッターを開けたときに次の入力端子の画像が投写される状態となる。つまり、投写光を遮光するためのシャッターの開閉操作に連動して入力端子の切替動作が行われることになる。これにより、投写する入力端子の切り替えを迅速に行うことができるとともに操作中の画面を視聴者に見られることなく、スムーズにプレゼンテーションの切り替えが可能となる。
【図面の簡単な説明】
【００２０】
【図１】プロジェクターの斜視図。
【図２】プロジェクターの部分平面図であり、（ａ）は筐体２の上面のスリットの周辺の部分図、（ｂ）は筐体の上面の入力操作部の周辺の部分図。
【図３】プロジェクターの正面図であり、シャッターの開閉状態を示す図。
【図４】プロジェクターの回路構成を示すブロック図。
【図５】実施形態１のプロジェクターの動作を示すフローチャート。
【図６】変形例１のプロジェクターの入力選択動作を示すフローチャート。
【図７】変形例１の動作を示す図。
【図８】変形例４プロジェクターの動作を示すフローチャート。
【発明を実施するための形態】
【００２１】
以下、添付図面に基づいて本発明の一実施形態について説明するが、以下の実施形態は特許請求の範囲にかかる発明を限定するものではなく、また、実施形態における特徴の組み合わせの全てが発明の解決手段に必須であるとは限らない。
【００２２】
（第１実施形態）
図１は、本実施形態のプロジェクターの斜視図である。
図１に示すように、プロジェクター１は、装置本体が筐体２によって覆われた構成になっている。筐体２の前面２ｆには開口部３があり、筐体２の上面２ｔには、ユーザーにより入力操作が行われる複数の操作キーを備えた入力操作部２２が備えられ、入力操作部２２の近傍には、プロジェクター１の動作状態を報知するためのＬＥＤ報知部２３が備えられている。
【００２３】
筐体２の前面２ｆには、開口部３が形成されており、開口部３の後方には、前方に向かって画像光を投写する投写レンズ１３が備えられている。開口部３には、カバー部材としてのシャッター４が開閉可能に備えられており、開口部３をシャッター４で閉塞することによって、投写レンズ１３を保護するとともに投写光を遮光することが可能となっている。シャッター４は、合成樹脂製で略矩形の板状体であり、その１つの角部には、開閉操作を行うための操作ツマミ４ａが一体的に形成されている（図３参照）。操作ツマミ４ａは、筐体２の上面２ｔに形成されたスリット５から露出しており、そのスリット５に沿って操作ツマミ４ａを左右にスライド操作することによって、シャッター４の開閉を行うことができる。また、操作ツマミ４ａは、筐体２の上面２ｔよりも上方に突出するようになっており、スライド操作を容易にしている。
【００２４】
図２は、プロジェクター１の部分平面図であり、図２（ａ）は筐体２の上面２ｔのスリット５の周辺の部位を部分的に示している。また、図２（ｂ）は筐体２の上面２ｔの入力操作部２２の周辺の部位を部分的に示している。図３（ａ）〜（ｃ）は、プロジェクター１の部分正面図であり、シャッター４の開閉状態を示している。
図２（ａ）に示すように、スリット５は、筐体２の前面２ｆと略平行に形成されており、シャッター４は、操作ツマミ４ａがスリット５の左端部（前方（射出方向）に向かって左側の端部）５ａに接する位置と、操作ツマミ４ａがスリット５の右端部（前方（射出方向）に向かって右側の端部）５ｃに接する位置との間を移動可能になっている。
【００２５】
操作ツマミ４ａをスライド操作して、スリット５の左端部５ａに移動させると、シャッター４は、図３（ａ）に示すように開口部３を閉塞し、投写レンズ１３を覆ってその射出面を保護するとともに遮光状態にする。次に操作ツマミ４ａをスライド操作して、スリット５の右端部５ｃに移動させると、シャッター４は、図３（ｃ）に示すように、投写レンズ１３の前方（射出方向）から移動し、開口部３を開放させる。この結果、開口部３から投写レンズ１３が露出し、画像光の投写が可能な状態となる。また、スリット５には左端部５ａと右端部５ｃの間に位置５ｂがあり、図３（ｂ）に示すように、操作ツマミ４ａをスライド操作して、シャッター４をスリット５の右端部５ｃから位置５ｂに移動させることにより、左端部５ａまで移動させなくても、シャッター４が開口部３を閉塞し、投写レンズ１３を覆って画像光を遮光状態にすることができる。なお、これ以降、操作ツマミ４ａをスリット５の左端部５ａに移動させたときのシャッター４の位置を「閉位置」と呼び、操作ツマミ４ａをスリット５の右端部５ｃに移動させたときのシャッター４の位置を「開位置」と呼び、操作ツマミ４ａをスリット５の位置５ｂに移動させたときのシャッター４の位置を「入力切替位置」と呼ぶ。つまり、シャッター４は、不図示のスライド機構によって前面２ｆに沿って横方向に摺動可能になっており、投写レンズ１３の投写側部分１３ａをプロジェクター１の外部に露出させることにより投写光を遮断しない開位置と、開口部３に配置された投写レンズ１３の投写側部分１３ａをシャッター４で覆うことにより投写光を遮断する閉位置との間で選択的に移動可能になっている。
前面２ｆには、位置検出部としてのシャッター位置検出部１５（図４参照）が設けられている。シャッター位置検出部１５は、図３（ｃ）に示すように第１位置検出部としての一対のセンサー４４ａ，４４ｂが埋め込まれており、これらセンサー４４ａ，４４ｂの検出信号に基づいて、シャッター４が開位置にあって開状態となっているか、シャッター４が閉位置にあって閉状態となっているかを判断することができる。
なお、図示しないが、シャッター位置検出部１５には、シャッター４が開位置と閉位置の間の入力切替位置にあることを検出する第２位置検出部としての入力切替位置検出センサーが設けられていてもよい。この入力切替位置検出センサーによって、シャッター４が開位置と閉位置の間の入力切替位置にあることを判断することも可能である。
【００２６】
図４は、プロジェクター１の回路構成を示すブロック図である。
図４に示すように、プロジェクター１は、投写部としての画像投写部１０、シャッター位置検出部１５、制御部２０、記憶部２１、入力操作部２２、ＬＥＤ報知部２３、画像入力選択部としての入力選択部２４、画像入力端子２５、画像処理部２６、ＯＳＤ処理部２７、信号検出部２８、光源制御部２９、電源部３０、電源端子３１等で構成されており、これらは筐体２（図１及び図２）の内部に収容されている。
【００２７】
画像投写部１０は、光源１１、光変調装置としての３つの液晶ライトバルブ１２Ｒ，１２Ｇ，１２Ｂ、投写光学系としての投写レンズ１３、液晶駆動部１４等を含んでいる。画像投写部１０は、表示部に相当するものであり、光源１１から射出された光を、液晶ライトバルブ１２Ｒ，１２Ｇ，１２Ｂで変調して画像光を形成し、この画像光を図示しない合成用のプリズムで合成し、合成された画像光を複数のレンズよりなる投写レンズ１３から投写することによってスクリーンＳＣ等に画像を表示する。
【００２８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラーの画像光となった後、投写レンズ１３によってスクリーンＳＣ等に拡大投写される。上記実施形態では、光源１１として光源ランプ１１ａを用いて投写するプロジェクター１を例示したが、本発明は光源としてＬＥＤ光源やレーザー光源などを用いて投写するプロジェクターにも適用することができる。なお、上記の実施形態では、画像投写部１０は、光源１１、光変調装置としての３つの液晶ライトバルブ１２Ｒ，１２Ｇ，１２Ｂを用いた透過型液晶方式の投写光学系を例示したが、表示原理については、反射型液晶表示方式やマイクロミラーデバイス方式（ライトスイッチ表示方式）など、他の表示方式を採用しても良い。
【００３０】
制御部２０は、ＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。
【００３１】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。本実施形態では設定データとして、シャッター４の位置および信号検出部２８の検出結果に伴い画像入力端子２５の入力切替を行うかの入力切替フラグ、画像入力端子２５を切り替える入力選択順および、画像入力端子２５を切り替える入力選択候補等が記憶されている。
【００３２】
入力操作部２２は、ユーザーからの入力操作を受け付けるものであり、ユーザーがプロジェクター１に対して各種指示を行うための複数の操作キーを備えている。入力操作部２２が備える操作キーとしては、図２（ｂ）に示すように、電源のオン・オフを交互に切り替えるための電源キー２２ａ、複数の画像入力端子２５を切り替えるための入力切替キー２２ｂ、各種設定を行うための設定メニューを重畳表示させるメニューキー２２ｃ、メニューからユーザーが設定項目を選択する４つの方向キー２２ｄ、決定キー２２ｅ、エスケープキー２２ｆ等がある。ユーザーが入力操作部２２の各種操作キーを操作すると、入力操作部２２は、ユーザーの操作内容に応じた操作信号を制御部２０に出力する。また、各操作キーはリモートコントローラー（不図示）を通じても操作されてもよい。リモートコントローラーは、例えばユーザーによって携行可能な大きさの無線通信端末であり、リモートコントローラー本体表面に、各種上記操作キーと同様の機能を有する操作ボタンが配されることが好ましい。
【００３３】
画像入力端子２５は、上述したように複数の画像入力端子２５ａ、２５ｂ、２５ｃを備えており、各画像入力端子２５には、ビデオ再生装置やパーソナルコンピューター等、外部の画像出力装置から、図示しないケーブルを介して画像情報が入力される。各画像入力端子２５に入力された画像情報は、画像入力選択部である入力選択部２４に供給される。
【００３４】
画像入力選択部である入力選択部２４は、複数の画像入力端子２５（２５ａ、２５ｂ、２５ｃ）のうち、制御部２０の指示に基づき選択された一の画像入力端子に入力される画像情報を画像処理部２６および信号検出部２８に出力する。ユーザーが、入力操作部２２に備わる入力切替キー２２ｂを操作して所望の一の画像入力端子を指定すると、制御部２０は、一の画像入力端子に入力される画像情報が画像処理部２６に出力されるよう、入力選択部２４に指示をする。
【００３５】
信号検出部２８は入力選択部２４によって選択された画像入力端子２５から有効な画像信号が入力されているかの検出結果を制御部２０に通知する。
【００３６】
ＬＥＤ報知部２３は、ＬＥＤ（発光ダイオード）を備えたインジケーターであり、制御部２０の指示に基づいてその表示状態を切り替えることにより、ユーザーにプロジェクター１の動作状態（電源のオン・オフや異常発生、信号検出等）を報知する。なお、ＬＥＤ報知部２３は、その表示状態、即ち点灯、点滅、消灯、発光色等を適宜切り替えることによって、多数の動作状態を表すことが可能になっている。
【００３７】
画像処理部２６は、入力選択部２４から入力される画像情報を、液晶ライトバルブ１２Ｒ，１２Ｇ，１２Ｂの各画素の階調を表す画像情報に変換する。ここで、変換された画像情報は、Ｒ，Ｇ，Ｂの色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３８】
液晶駆動部１４が、ＯＳＤ処理部２７から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３９】
ＯＳＤ処理部２７は、制御部２０の指示に基づいて、入力画像上にメニュー画像やメッセージ画像等のＯＳＤ（オンスクリーンディスプレー）画像を重畳するための処理を行う。ＯＳＤ処理部２７は、図示しないＯＳＤメモリーを備えており、ＯＳＤ画像を形成するための図形やフォント等を表す画像データを記憶している。制御部２０が、ＯＳＤ画像の重畳を指示すると、ＯＳＤ処理部２７は、必要な画像データをＯＳＤメモリーから読み出して、指定されたＯＳＤ画像を形成するためのＯＳＤ画像情報を生成する。そして、入力画像上の所定の位置にＯＳＤ画像が重畳されるように、画像処理部２６から入力される画像情報にこのＯＳＤ画像情報を合成する。ＯＳＤ画像情報が合成された画像情報は、液晶駆動部１４に出力される。なお、制御部２０からＯＳＤ画像を重畳する旨の指示がない場合には、ＯＳＤ処理部２７は、画像処理部２６から入力される画像情報を、そのまま液晶駆動部１４に出力する。
【００４０】
電源部３０には、電源端子３１を介してＡＣ１００Ｖ等の電源が外部から供給される。電源部３０は、電源（交流電源）を所定の電圧の直流電源に変換し、光源制御部２９を始めとするプロジェクター１の各部に電力を供給する。また、電源部３０は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４１】
光源制御部２９は、制御部２０の指示に基づいて、光源１１に対する電力の供給と停止とを制御し、光源１１の点灯及び消灯を切り替える。
【００４２】
シャッター４の位置検出部であるシャッター位置検出部１５は、シャッター４を操作ツマミ４ａでスライド移動したときの位置が開位置、閉位置、入力切替位置のいずれの位置にあるかを検出し、その検出結果を制御部２０に出力する。
【００４３】
制御部２０は本発明におけるミュート状態制御部および入力切替実行部としても機能する。具体的にはシャッター４の位置検出部であるシャッター位置検出部１５はシャッター４が開位置から閉位置または入力切替位置に移動したことを検出すると、制御部２０は画像投写部１０の投写を中断させてミュート状態にする。また、このとき制御部２０はミュート画像を入力画像信号に基づく画像に代えて画像投写部１０に投写させる。シャッター位置検出部１５はシャッター４が開位置に移動したことを検出すると、制御部２０はミュート状態を解除し、入力画像信号に基づく画像を画像投写部１０に投写させる。
【００４４】
そして制御部２０はミュート状態において信号検出部２８により、現在選択されている画像入力端子２５の他の画像入力端子２５のいずれかに画像信号が入力されていることを検出すると、入力選択部２４に指示して画像信号が入力されている他の画像入力端子２５に切り替える。
【００４５】
次に、本実施形態のプロジェクター１の動作を図５のフローチャートを用いて説明する。
図５は、投写動作中のプロジェクター１のシャッター４を開閉操作したときの動作フローの一例を示す。
図５に示すように、まずプロジェクター１が投写動作中にシャッター４がスライド操作され、シャッター位置検出部１５はシャッター４が開位置から閉位置に移動したことを検出すると、制御部２０に通知する（ステップＳ１０１）。そして制御部２０は画像投写部１０の投写を中断させてミュート状態にする（ステップＳ１０２）。
【００４６】
次に制御部２０は記憶部２１に記憶されている入力切替フラグを参照して入力切替動作が有効かの判断を行う（ステップＳ１０３）。そして、入力切替動作が有効の場合にはステップＳ１０４に移行し、入力切替動作が無効の場合はステップＳ１０８に移行する。
【００４７】
ステップＳ１０４において制御部２０は現在選択されている画像入力端子２５を記憶部２１に保存し、ステップＳ１０５に移行する。
【００４８】
ステップＳ１０５において制御部２０は、入力選択部２４に指示をして次の画像入力端子２５に切り替える。次に制御部２０は信号検出部２８の検出結果に基づき、選択した画像入力端子２５に画像信号が入力されているか判断を行う（ステップＳ１０６）。画像信号が入力されている場合はステップＳ１０７に移行する。選択した画像入力端子２５に画像信号が入力されていない場合は、選択した画像入力端子２５が最後の画像入力端子かどうか、つまり全ての画像入力端子に切り替えたかを調べ（ステップＳ１１０）、最後の画像入力端子の場合は、ステップＳ１１１に移行する。最後の画像入力端子でない場合はステップＳ１０５に戻る。
【００４９】
ステップＳ１０７では制御部２０は、入力選択部２４に指示をしてステップＳ１０６で画像信号が入力されていることを検出した画像入力端子２５に切り替え、ステップＳ１０８に移行する。
【００５０】
ステップＳ１１１では制御部２０は、入力選択部２４に指示をして、ステップＳ１０４で記憶部２１に保存した画像入力端子２５に切り替え、ステップＳ１０８に移行する。
【００５１】
ステップＳ１０８では制御部２０は、シャッター位置検出部１５の検出結果に基づき、シャッター４が開位置に移動したことを検出した場合にはステップＳ１０９に移行する。シャッター４が開位置に移動していない場合にはステップＳ１０８を繰り返す。
【００５２】
ステップＳ１０９では制御部２０は、ミュート状態を解除して画像投写部１０の投写動作を再開し、現在選択されている画像入力端子２５の画像信号を画像投写部１０に投写させる。以上により本動作フローは終了する。
【００５３】
以上説明したように、本実施形態のプロジェクター１によれば、シャッター４を開位置から閉位置に移動させたときに、ミュート状態にすると同時に現在選択されている画像入力端子２５の他の画像信号が入力されている画像入力端子２５を検索し、入力切替動作を行う。つまり、投写光を遮光し、ミュート状態にするためのシャッター４の開閉操作に連動して入力切替動作が行われることになる。これにより、投写する画像入力端子２５の切り替えを迅速に行うことができるとともに操作中の画面を視聴者に見られることなく、スムーズにプレゼンテーションの切り替えが可能となる。
【００５４】
（変形例１）
また、上記実施形態は、以下のように変更してもよい。
【００５５】
上記実施形態ではミュート状態において現在選択されている画像入力端子２５の他に画像信号が入力されていることを検出した画像入力端子２５に入力切替動作を行っているが、ミュート状態において全ての画像入力端子２５を調べ、画像信号が入力されている画像入力端子２５を記憶し、ミュート状態解除時に選択画面を表示させ、入力操作部２２の方向キー２２ｄ、決定キー２２ｅを操作して選択させるようにしてもよい。図７（ａ）〜（ｃ）はこのときの動作画面を示す。
【００５６】
本変形例の動作を図６のフローチャートを用いて説明する。
図６に示すように、まずプロジェクター１が投写動作中にシャッター４がスライド操作され、シャッター位置検出部１５がシャッター４が開位置から閉位置に移動したことを検出すると、制御部２０に通知する（ステップＳ２０１）。そして制御部２０は画像投写部１０の投写を中断させてミュート状態にする（ステップＳ２０２）。
【００５７】
次に制御部２０は記憶部２１に記憶されている入力切替フラグを参照して入力切替動作が有効かの判断を行う（ステップＳ２０３）。そして、入力切替動作が有効の場合にはステップＳ２０４に移行し、入力切替動作が無効の場合はステップＳ２１５に移行する。
【００５８】
ステップＳ２０４において制御部２０は記憶部２１の入力選択候補に現在選択されている画像入力端子２５を保存し、ステップＳ２０５に移行する。
【００５９】
ステップＳ２０５において制御部２０は、入力選択部２４に指示をして次の画像入力端子２５に切り替える。次に制御部２０は信号検出部２８の検出結果に基づき、選択した画像入力端子２５に画像信号が入力されていることを検出したか判断する（ステップ２０６）。画像信号が入力されている場合は記憶部２１の入力選択候補に画像信号が入力されていることを検出した画像入力端子２５を追加保存すし（ステップＳ２０７）、ステップＳ２０８に移行する。選択した画像入力端子２５に画像信号が入力されていない場合はステップＳ２０８に移行する。
【００６０】
ステップＳ２０８において制御部２０は全ての画像入力端子２５を切り替えたかどうか調べ、全ての画像入力端子２５を切り替えた場合は、ステップＳ２０９に移行する。全ての画像入力端子に切り替えていない場合はステップＳ２０５に戻る。
【００６１】
ステップＳ２０９において制御部２０は、シャッター位置検出部１５の検出結果を調べ、シャッター４が開位置に移動したことを検出した場合にはステップＳ２１０に移行する。シャッター４が開位置に移動していない場合にはステップＳ２０９を繰り返す。
【００６２】
ステップＳ２１０において制御部２０は、ミュート状態を解除し、画像投写部１０の投写動作を再開し、記憶部２１に保存されている入力選択候補を参照し、画像入力端子２５が２つ以上登録されているか調べる（ステップＳ２１１）。２つ以上の画像入力端子２５が登録されている場合は（ステップＳ２１１：Ｙ）、制御部２０は図７（ｃ）に示すような画像入力端子選択画面を画像投写部１０に投写させ（ステップＳ２１３）、ステップＳ２１４に移行する。入力端子候補リストに画像入力端子２５が１つしか登録されていない場合、つまり元の画像入力端子しか登録されていない場合は（ステップＳ２１１：Ｎ）、ステップＳ２１２に移行する。
【００６３】
ステップＳ２１４において制御部２０は、入力操作部２２の画像入力端子選択操作に基づき、入力選択部２４に指示をして選択された画像入力端子２５に切り替える。
【００６４】
ステップＳ２１２において制御部２０は、入力選択部２４に指示をして記憶部２１の入力選択候補に保存された元の画像入力端子２５に切り替える。
【００６５】
ステップＳ２１５において制御部２０は、シャッター位置検出部１５の検出結果を調べ、シャッター４が開位置に移動したことを検出した場合にはステップＳ２１６に移行する。シャッター４が開位置に移動していない場合にはステップＳ２１５を繰り返す。
【００６６】
ステップＳ２１６では制御部２０は、ミュート状態を解除し、画像投写部１０の投写動作を再開し、現在選択されている画像入力端子２５の画像信号を画像投写部１０に投写させる。以上により本動作フローは終了する。
【００６７】
以上説明したように本変形例ではミュート状態から再度シャッター４を開いて画像投写状態にしたときに現在選択されている画像入力端子２５または画像信号が入力されている他の画像入力端子２５への切り替えを選択できるため、プレゼンテーションの切り替えなどで、信号が入力されている目的の入力端子を容易に選択し、入力切替操作を行うことが可能となる。
【００６８】
（変形例２）
上記実施形態において、ミュート状態で現在選択されている画像入力端子２５のほかに画像信号が入力されていることを検出したときにＬＥＤ報知部２３によって報知するようにしてもよい。このような構成にすれば、シャッター４を閉じたミュート状態において他の画像入力端子２５に画像信号が入力されたことがわかる。これにより、プレゼンテーションの切替時にまだ画像信号が入力されていない状態でシャッター４を開き、投写してしまうことを防ぐことが可能となる。
【００６９】
（変形例３）
上記実施形態において、記憶部２１にシャッター４を閉じたときの画像入力端子２５の入力選択順を記憶しておくようにしてもよい。このとき、画像入力信号の検出の有無にかかわらず入力を切り替えることにより、シャッター４を閉じると同時に入力操作部２２の入力切替キー２２ｂを操作したのと同じ状態になる。このような構成にすれば、簡単な操作でミュート状態を挟んだ入力切替操作が可能となる。さらに、入力操作部２２から入力切替キー２２ｂを省略することが可能となり、簡易な構成のプロジェクターを構成することが可能となる。
【００７０】
（変形例４）
上記実施形態において、画像投写状態からシャッター４を閉位置まで移動させず、入力切替位置まで移動させ、その後シャッター４を開位置まで移動させた場合は他の画像入力端子２５に切り替え、シャッター４を閉位置まで移動させた後でシャッター４を開位置まで移動させた場合は画像入力端子２５の入力切替動作を行わないようにしてもよい。
【００７１】
本変形例の動作を図８のフローチャートを用いて説明する。
図８に示すように、まずプロジェクター１投写動作中にシャッター４がスライド操作され、シャッター位置検出部１５がシャッター４が開位置から入力切替位置または閉位置に移動したことを検出すると、制御部２０に通知する（ステップＳ３０１）。そして制御部２０は画像投写部１０の投写を中断させてミュート状態にする（ステップＳ３０２）。
【００７２】
次に制御部２０は記憶部２１に記憶されている入力切替フラグを参照して入力切替動作が有効かの判断を行う（ステップＳ３０３）。そして、入力切替動作が有効の場合にはステップＳ３０４に移行し、入力切替動作が無効の場合はステップＳ３０８に移行する。
【００７３】
ステップＳ３０４において制御部２０は、現在選択されている画像入力端子２５を記憶部２１に保存し、ステップＳ３０５に移行する。
【００７４】
ステップＳ３０５において制御部２０は、入力選択部２４に指示をして次の画像入力端子２５に切り替える。次に制御部２０は信号検出部２８の検出結果に基づき、選択した画像入力端子２５に画像信号が入力されているかの判断を行う（ステップＳ３０６）。選択した画像入力端子２５に画像信号が入力されている場合はステップＳ３０７に移行する。選択した画像入力端子２５に画像信号が入力されていない場合は選択した全ての画像入力端子２５が最後の画像入力端子かどうか調べ（ステップＳ３１０）、最後の画像入力端子の場合は（ステップＳ３１０：Ｙ）、ステップＳ３１１に移行する。最後の画像入力端子でない場合は（ステップＳ３１０：Ｎ）ステップＳ３０５に戻る。
【００７５】
ステップＳ３０７において制御部２０は、入力選択部２４に指示をしてステップＳ３０６で画像信号を検出した画像入力端子２５に切り替え、ステップＳ３１２に移行する。
【００７６】
ステップＳ３１１において制御部２０は、入力選択部２４に指示をして、ステップＳ３０４で記憶部２１に保存した画像入力端子２５に切り替え、ステップＳ３０８に移行する。
【００７７】
ステップＳ３１２において制御部２０は、シャッター位置検出部１５の検出結果を調べ、シャッター４が閉位置にあることを検出した場合（ステップＳ３１２：Ｙ）にはステップＳ３１１に移行する。シャッター４が閉位置にないことを検出した場合（ステップＳ３１２：Ｎ）はステップＳ３１３に移行する。
【００７８】
ステップＳ３１３において制御部２０は、シャッター位置検出部１５の検出結果を調べ、シャッター４が開位置にあることを検出した場合は（ステップＳ３１３：Ｙ）ステップＳ３０９に移行し、シャッター４が閉位置にないことを検出した場合、すなわち閉位置、開位置のいずれでもない場合は（ステップＳ３１３：Ｎ）、ステップＳ３１２に戻る。
【００７９】
ステップＳ３０８において制御部２０は、シャッター位置検出部１５の検出結果を調べ、シャッター４が開位置に移動したことを検出した場合にはステップＳ３０９に移行する。シャッター４が開位置に移動していない場合にはステップＳ３０８を繰り返す。
【００８０】
ステップＳ３０９において制御部２０は、ミュート状態を解除し、画像投写部１０の投写動作を再開し、現在選択されている画像入力端子２５の画像信号を画像投写部１０に投写させる。以上により本動作フローは終了する。
【００８１】
以上の説明では、投写レンズ１３の投写側部分１３ａの突起量が大きくないが、例えば投写側部分１３ａが大きく飛び出ているタイプの場合、投写側部分１３ａをシャッター４で覆うことが容易でなくなるので、投写レンズ１３の後方（射出方向の反対側）や内部、つまり投写レンズ１３と合成用のプリズムとの間、若しくは投写レンズ１３の複数のレンズ間にシャッター４を設けることもできる。
【００８２】
以上説明したように、本変形例によれば、シャッター４の開閉のさせかたのみによってミュート動作のみとミュートおよび入力切替動作を選択できるのでユーザーの目的に応じた、シャッター４によるミュート操作を容易に選択することが可能となる。
また、本実施形態においては、画像入力端子２５に画像信号が入力されていることを検出したが、記録媒体（ＵＳＢメモリーやＳＤメモリーカード）が差し込まれているかを検出する構成としても良い。かかる場合、画像入力端子２５に記録媒体が接続されていることをも検知することが出来るため、シャッター４の開閉のさせかたのみによってミュート動作のみとミュートおよび記録媒体等への入力切り替え動作をも容易に選択可能となる。
【符号の説明】
【００８３】
１…プロジェクター、２…筐体、３…開口部、４…シャッター、４ａ…操作ツマミ、５…スリット、１０…画像投写部（投写部）、１１…光源、１２Ｒ，１２Ｇ，１２Ｂ…液晶ライトバルブ、１３…投写レンズ、１３ａ…投写側部分、１４…液晶駆動部、１５…シャッター位置検出部（第１位置検出部及び第２位置検出部）、２０…制御部、２１…記憶部、２２…入力操作部、２３…ＬＥＤ報知部、２４…入力選択部（画像入力選択部）、２５…画像入力端子、２６…画像処理部、２７…ＯＳＤ処理部、２８…信号検出部、２９…光源制御部、３０…電源部、３１…電源端子、４４ａ，４４ｂ…センサー。
【図１】
0005573240.tif 000002
【図２】
0005573240.tif 000003
【図３】
0005573240.tif 000004
【図４】
0005573240.tif 000005
【図５】
0005573240.tif 000006
【図６】
0005573240.tif 000007
【図７】
0005573240.tif 000008
【図８】
0005573240.tif 000009